(57)【要約】 【課題】  窓ガラスや玄関扉等に適した、安価で、誤動作の少ない侵入防止手段を提供することを目的とし、また防犯シャッタの動作において、少なくとも携帯電話の画像で確認した後、動作させるセキュリティーシステムを提供することを目的とする。【解決手段】防犯シャッタ１は、針金を波状に形成し、該波状の針金を編み上げたウェイブネット２と、前記ウェイブネット２の長手方向に所定の間隔をもって取り付けられた固定部材３と、前記固定部材３とウェイブネット２とを収納するケース４とを備え、前記ケース４の下面部４ｄの開口部から、ウェイブネット２と固定部材３が自重によって導出、落下することによって、前記ウェイブネット２が展開するように構成されている。【選択図】      図１
2005076324.tif 000002
【特許請求の範囲】
【請求項１】
針金を波状に形成し、該波状の針金を編み上げたウェイブネットと、前記ウェイブネットの長手方向に所定の間隔をもって取り付けられた固定部材と、前記固定部材とウェイブネットとを収納するケースとを備え、
前記ケースの下面部の開口部から、ウェイブネットと固定部材が自重によって導出、落下することによって、前記ウェイブネットが展開するように構成されていることを特徴とする防犯シャッタ。
【請求項２】
前記ケースが係止手段によって天井部に固定され、ケースと係止手段の係合を解除することにより、ケースを窓に対して並行な状態になるように回動させ、前記ケースの下面部の開口部から、ウェイブネットと固定部材が導出、落下するように構成されていることを特徴とする請求項１に記載された防犯シャッタ。
【請求項３】
前記ケースの内部に固定部材を案内する案内溝が形成されていることを特徴とする請求項１または請求項２に記載された防犯シャッタ。
【請求項４】
前記ケースの外部に固定部材を案内する案内レールが形成されていることを特徴とする請求項１乃至請求項３のいずれかに記載された防犯シャッタ。
【請求項５】
前記請求項１乃至請求項４のいずれかに記載された防犯シャッタを備えたセキュリティーシステムにおいて、
監視対象の所定の場所に設置された、異常検知センサ、監視カメラからなる異常状態認識手段と、該異常状態認識手段に接続され、かつ動画を伝送できる携帯電話回線網に接続されたコントローラとを備え、
前記異常検知センサが異常状態を検知した場合に、携帯電話を呼び出すと共に異常状態が発生した旨のメッセージを送信し、前記メッセージを受信したユーザーが、携帯電話の画像表示装置において前記監視対象の状況を把握し、前記携帯電話から防犯シャッタを動作させる信号を送信することを特徴とするセキュリティーシステム。
【請求項６】
前記異常状態認識手段として更にマイクを備え、前記メッセージを受信したユーザーが、前記マイクからの音声及び監視カメラからの映像によって監視対象の状況を把握し、前記携帯電話から防犯シャッタを動作させる信号を送信することを特徴とする請求項５に記載されたセキュリティーシステム。 
【発明の詳細な説明】
【技術分野】
【０００１】
本発明は、防犯シャッタ及びこれが用いられるセキュリティーシステムに関する。
【背景技術】
【０００２】
近年、犯罪の増加に伴い、家屋、居室のセキュリティーに対する国民の意識も高くなり、警備会社のセキュリティーシステムの加入者が増加している。
このセキュリティーシステムについて、図６に基づいて、簡単に説明する。このセキュリティーシステム５０は、住居あるいは居室への侵入を検知するために窓ガラス等に取り付けられた振動センサ、玄関扉の開閉を検出すための赤外線センサなどの異常検知センサ５１，５２が設置されている。
【０００３】
前記異常検知センサ５１、５２はパーソナルコンピュー５３に接続されており、また、パーソナルコンピューは、ＮＴＴの回線網５４に接続されている。
そして、警備会社の中央監視システム５５は、ＮＴＴの回線網５４と接続されており、前記異常検知センサ５１、５２によって監視対象を監視している。
また、前記中央監視システム５５は、ＮＴＴの回線網５４を介して警察署５６とも接続されていて、異常検知センサ５１，５２が異常状態を検知すると、警備会社の中央監視システム４１が警察署５６に対して通報するようになっている。 
【発明の開示】
【発明が解決しようとする課題】
【０００４】
しかしながら、前記した警備会社のセキュリティーシステムは、その費用が高いばかりでなく、例えば、ピッキング、窓ガラス割り等による住居、居室への侵入にあっては、その犯行時間が短いため、犯人のほとんどを取り押えることができないという問題があった。特に、窓ガラスや玄関扉は錠前のみで、他の侵入防止策は採られていなかった。
また、近年高齢化が進展し、例えば、家族が外出中に、老人が来訪者の確認を充分にできないため、不審者の侵入を許してしまうという問題があった。
【０００５】
本発明には上記課題を解決するためになされたものであり、窓ガラスや玄関扉等に適した、安価で、誤動作の少ない防犯シャッタを提供することを目的とし、また前記防犯シャッタの動作において、少なくとも携帯電話の画像で確認した後、動作させるセキュリティーシステムを提供することを目的とする。
【課題を解決するための手段】
【０００６】
上記目的を達成するためになされた本発明にかかる防犯シャッタは、針金を波状に形成し、該波状の針金を編み上げたウェイブネットと、前記ウェイブネットの長手方向に所定の間隔をもって取り付けられた固定部材と、前記固定部材とウェイブネットとを収納するケースとを備え、前記ケースの下面部の開口部から、ウェイブネットと固定部材が自重によって導出、落下することによって、前記ウェイブネットが展開するように構成されていることを特徴としている。
【０００７】
このように、該波状の針金を編み上げたウェイブネットと、前記ウェイブネットの長手方向に所定の間隔をもって取り付けられた固定部材と、前記固定部材とウェイブネットとを収納するケースとによって構成され、ケースの下面部の開口部から自重によって、ウェイブネットと固定部材が導出、落下するように構成されているため、安価に製作することができ、しかも誤動作が少なく、正確に動作させることができる。
【０００８】
ここで、前記ケースが係止手段によって天井部に固定され、ケースと係止手段の係合を解除することにより、ケースを窓に対して並行な状態になるように回動させ、前記ケースの下面部の開口部から、ウェイブネットと固定部材が導出、落下するように構成されていることが望ましい。
このように、ケースを窓に対して並行な状態になるように回動させることにより、前記ケースの下面部の開口部から自重によって、ウェイブネットと固定部材を導出、落下させることができる。
【０００９】
なお、前記ケースの内部に固定部材を案内する案内溝が形成されていることが望ましい。また、ケースの外部に固定部材を案内する案内レールが形成されていることが望ましい。
【００１０】
また、前記防犯シャッタ備えたセキュリティーシステムにおいて、防犯シャッタを備え、セキュリティーシステムにおいて、監視対象の所定の場所に設置された、異常検知センサ、監視カメラ、マイクからなる異常状態認識手段と、該異常状態認識手段に接続され、かつ動画を伝送できる携帯電話回線網に接続されたコントローラとを備え、前記異常検知センサが異常状態を検知した場合に、携帯電話を呼び出すと共に異常状態が発生した旨のメッセージを送信し、前記メッセージを受信したユーザーが、携帯電話の画像表示装置において前記監視対象の状況を把握し、前記携帯電話から防犯シャッタを動作させる信号を送信することが望ましい。
このように、異常検知センサの検知に基づいて、ユーザーに知らせ、映像で確認した上で、防犯シャッタを動作させることができる。
【００１１】
また、前記異常状態認識手段として更にマイクを備え、前記メッセージを受信したユーザーが、前記マイクからの音声及び監視カメラからの映像によって監視対象の状況を把握し、前記携帯電話から防犯シャッタを動作させる信号を送信することが好ましい。
このように、映像のみならず、音声でも確認できすることができるため、来訪者が不審者であるか、否かの確認を充分に行なうことができる。したがって、老人を単独で留守番している場合にも、不審者を不用意に招き入れるのを阻止できる。
【発明の効果】
【００１２】
本発明の防犯シャッタを窓ガラスや玄関扉等に設けることにより、不審者の住居、居室への侵入を防止できる。また、前記防犯シャッタの動作において、少なくとも携帯電話の画像で確認した後、動作させることができ、誤動作を防止できる。
【発明を実施するための最良の形態】
【００１３】
まず、本発明にかかる防犯シャッタの一実施形態について図１乃至図４に基づいて説明する。
この防犯シャッタ１は、針金を波状に形成し、該波状の針金を図４に示すように編み上げたウェイブネット２と、前記ウェイブネット２の下端部及び長手方向に所定の間隔をもって取り付けられた固定部材３と、前記固定部材３とウェイブネット２とを収納すると共に前記ウェイブネット２の上端部が固定されたケース４とを備えている。
【００１４】
前記ケース４の外側側面には、夫々の面に２つの突起４ａ，４ｂが設けられている。前記ケース４は、家屋に対して突起４ａを中心に回動自在に取り付けられている。また、突起４ｂは必ずしも必要ではないが、家屋側にガイドレールＢを設け、この突起４ｂがガイドレールＢ内を移動させることにより、ケース４の回動を案内するようにしても良い。
即ち、図１に示すように、天井部Ａに固定されていたケース４の突起４ｂがガイドレールＢ内を移動することによって、ケース４が突起４ａを中心として回動し、窓Ｗに対して並行に位置した状態に置かれる。
尚、前記突起４ａはＵ字状の金具を天井部Ａに取り付け、該金具に突起４ａを保持させることにより、ケース４は家屋に対して回動自在に取り付けられる。
【００１５】
また、前記ケース４は、図示しない係止手段により、天井部Ａに固定されている。この係止手段としては、例えば、ケース４と係合するフックが挙げられる。前記フックはケース４の回動端部側（突起４ａと反対側）に設けられている。
そして、電磁プランジャ等の手段（図示せず）によって、このフックとケース４との係合を解除することにより、ケース４は回動し、窓Ｗに対して並行な状態に置かれる。
【００１６】
また、前記固定部材３は、ウェイブネット２の幅よりも長く形成され、その両端部にガイド片３ａが形成されている。このガイド片３ａは、図３に示すように、ケース４の内部に形成された案内溝４ｃに挿入されている。また、前記ケース４の下面部４ｄは開口しており、前記ウェイブネット２及び固定部材３がケース４の案内溝４ｃにガイドされながら、外部に導出されるように構成されている。
【００１７】
即ち、天井部Ａに固定されているケース４の係止手段を解除することにより、ケース４が回動し、窓に対して並行な状態に置かれる。これにより、ケース４の下面部（開口面）４ｄが下方に向くため、ウェイブネット２及び固定部材３が自重により、案内溝４ｄにガイドされながら、ケース４の外部に導出され、落下する。
落下後は、図４に示すように、ウェイブネット２が窓Ｗの全面に展開され、不審者の侵入を阻止する。
【００１８】
このように、予め、ウェイブネット２をケース４内に収納し、自重で落下（展開）するように構成されているため、構成が簡単で、しかも安価に製作することができ、誤動作が少ない。
【００１９】
尚、上記実施形態にあっては、ケース４が天井部Ａに固定され、ケース４が回動することにより、窓Ｗと平行な並行な状態におく場合を示したが、本発明は、予めケース４を窓Ｗと平行な状態に置いても良い。この場合、ウェイブネット２及び固定部材３がケース４の外部に導出しないようにストッパを形成し、異常時に前記ストッパを解除するように形成しても良い。
また、上記実施形態にあっては、前記固定部材３にガイド片３ａを形成し、案内溝４ｃによって案内される場合を示したが、このガイド片３ａにローラを設け、案内溝４ｃ内の移動をより滑らかにしても良い。
【００２０】
更に、ケース４から導出されたウェイブネット２及び固定部材３の両側部は、何ら拘束を受けない、いわゆるカーテン状態になる。したがって、ウェイブネット２及び固定部材３の落下によって、不審者は驚くが完全には侵入を防止し得ない。
そのため、窓側（家屋側）に固定部材３の両端部（ガイド片３ａ）を案内、保持する案内レール（図示せず）を設けるのが好ましい。これにより、ケース４から導出されたウェイブネット２及び固定部材３の両側部は、窓の両側部に設けられた案内レールによって、保持されるため、不審者は容易に侵入することはできない。
【００２１】
次に、前記防犯シャッタを用いたセキュリティーシステムの一実施形態を図５に基づいて説明する。
このセキュリティーシステム１０は、監視対象（家屋の扉、窓など外部から侵入される虞がある場所）に設置された、振動センサ、赤外線センサ等の異常検知センサ１１ａと、監視対象を映し出すように設置された監視カメラ１１ｂ、監視対象の音声を集音するマイク１１ｃとからなる異常状態認識手段がコントローラ１２に接続されている。
また、このコントローラ１２には、音声を発するスピーカ１１ｄと、前記防犯シャッタを動作させる非常用スイッチ１３とが接続され、また防犯シャッタ１の係止手段を解除する電磁プランジャに接続されている。
また、前記コントローラ１２は、動画像を伝送することができる携帯電話回線網１４に接続され、ユーザーの携帯電話１５に異常状態を伝達することができるように構成されている。なお、この携帯電話回線網１４を介して、警察署１６と接続できるように構成するのが好ましい。
【００２２】
ここで、異常検知センサ１１ａとしては、前記したように、振動センサ、赤外線センサ等の外部からの不審者の侵入を検知する、一般的な防犯用のセンサを用いることができる。
また、監視カメラ１１ｂとしては、たとえばビデオカメラのほか、ＣＣＤカメラやスキャナなどのイメージセンサを採用することができる。
【００２３】
また、前記コントローラ１２は、携帯電話１５からの遠隔操作により走査したり、クローズアップ映像を写すようにしたり、画像情報の記録／再生を制御するカメラ制御部と、監視対象物の音声を集音するマイクを制御するマイク制御部と、携帯電話１５からの音声を発するスピーカを制御するスピーカ制御部と、防犯シャッタの係止手段を解除する電磁プランジャを制御する制御部と、異常検知センサ１１ａの出力によって、異常状態を判定する判定部とを備えている。
また、前記コントローラ１２は、携帯電話１５に対して、伝達すべき異常状態の発生のメッセージ（たとえば、「不審者が侵入した」など）の入出力を制御するメッセージ入出力制御部を備えている。
【００２４】
更に、前記コントローラ１２はシステム制御部を備え、回線制御部とを介して、携帯電話回線網１４に接続されている。
このシステム制御部は、前記異常検知センサ１１ａ、メッセージ入出力制御部、カメラ制御部、マイク制御部、スピーカ制御部、シャッタ制御部に接続され、異常状態発生時に携帯電話１５を呼び出し、所定のメッセージを送信し、携帯電話１５からの指示情報を受け取って、マイクで集音した音声を、あるいは（および）、監視カメラによって撮影された画像データを送信し、携帯電話１５からのシャッタの動作信号を受けて防犯シャッタの係止手段を解除するための電磁プランジャを動作させる機能を備えている。
【００２５】
次に、このセキュリティーシステムの動作について説明する。
前記異常検知センサ１１ａからの出力に基づいて、判定部が異常状態を認識すると、システム制御部が回線制御部を介して携帯電話１５を呼び出し、たとえば、「不審者が家屋に侵入した」など、異常状態が発生した旨のメッセージを携帯電話１５に送信する。
送信を受けたユーザーは、携帯電話１５の画像表示装置及びスピーカから、監視カメラ１１ｂの映像とマイク１１ｃからの音声を受け、監視対象の状況を把握する。このとき、携帯電話１５からの指示により、監視カメラ１１ｂの撮影範囲、マイク１１ｃの感度などを制御する。
そして、不審者が侵入しようとしている場合には、携帯電話１５から威嚇する声、例えば「泥棒」等の音声をスピーカ１１ｄを通して発する。
【００２６】
また同時に、携帯電話１５から前記した防犯シャッタの動作の信号（係止手段解除の信号）をコントローラ１２に送信する。この送信に基づいて、コントローラ１２は防犯シャッタ１の電磁プランジャを動作させ、防犯シャッタと係止手段との係合を解く。
その結果、前記したようにケース４は回動し、ウェイブネット２が落下、展開され、窓Ｗをウェイブネット２で覆い、不審者の侵入を妨害する。
【００２７】
このように、このセキュリティーシステムにあっては、異常検知センサの検知に基づいて、ユーザーに知らせ、ユーザーによって防犯シャッタを動作（展開）させているが、前記防犯シャッタの動作（展開）までの時間は、極僅かであり、不審者の住居、居室への侵入は困難である。
例えば、窓ガラスを割り侵入するまで、通常１分程度はかかり、その時間内には防犯シャッタを十分動作させることができる。
尚、このセキュリティーシステムには、非常スイッチ１３が設けられており、この非常スイッチ１３をＯＮさせることにより、防犯シャッタが動作するようにも構成されている。
【００２８】
また、このセキュリティーシステムにあっては、異常検知センサの検知に基づいて、ユーザーに知らせ、ユーザーの判断によって防犯シャッタを動作させるため、来訪者が不審者であるか、否かの確認を充分に行なうことができる。したがって、老人を単独で留守番している場合にも、老人に代わって外にいるユーザーがスピーカによって応対でき、不審者を不用意に招き入れるのを阻止できる。
特に、マイクによって音を聞くことができ、更に、スピーカで音声を発することができるため、不審者に対して威嚇するのみならず、単独で留守番している老人と会話することができ、老人に対して注意を喚起させることができる。
【００２９】
尚、上記実施形態にあっては、監視対象を窓として説明したが、本発明は特にこれに限定されるものではなく、例えば廊下等に設置しても良い。特に廊下等に複数設置することにより、防犯シャッタ内に不審者を閉じ込めることも可能である。
【産業上の利用可能性】
【００３０】
本発明にかかる防犯シャッタは、窓、玄関などの扉の設置場所以外に、銀行の窓口、金庫等の防犯上必要な場所に広く設置することができ、家庭用に限らず業務用としても用いることができる。
【図面の簡単な説明】
【００３１】
【図１】本発明の一実施の形態にかかわる防犯シャッタの動作状態を示す斜視図。
【図２】図１に示した防犯シャッタの概略構成図。
【図３】図２のＩ−Ｉ断面図。
【図４】図１に示した防犯シャッタの展開状態を示す平面図
【図５】図１に示した防犯シャッタを用いたセキュリティーシステムの概略概念図。
【図６】従来のセキュリティーシステムの構成概念図。
【符号の説明】
【００３２】
１        防犯シャッタ
２        ウェイブネット
３        固定部材
３ａ      ガイド片
４        ケース
４ａ      突起
４ｂ      突起
４ｃ      案内溝
４ｄ      下面部
１０        セキュリティーシステム
１１ａ      異常検知センサ
１１ｂ      監視カメラ
１１ｃ      マイク
１１ｄ      スピーカ
１２        コントローラ
１３        非常スイッチ
１４        携帯電話回線網
１５        携帯電話
１６        警察署
Ａ          天井部
Ｂ          ガイドレール
Ｗ          窓
【図１】
2005076324.tif 000003
【図２】
2005076324.tif 000004
【図３】
2005076324.tif 000005
【図４】
2005076324.tif 000006
【図５】
2005076324.tif 000007
【図６】
2005076324.tif 000008